(57)【要約】【課題】小型かつ軽量で任意にロック解除もできるロック機構付き留め具、及びこの留め具を備えたかばん類製品、衣類製品、介護用製品等を提供する。【解決手段】雌ホックと雄ホックとを有し、雌ホックに設けられた係止部材と雄ホックに設けられたフック部とが係合可能、かつ着脱可能にされた留め具であって、雌ホックは前記係止部材を支承するストッパー部と、当該ストッパー部と係合する内ケースと、円孔を有する円環状の止め鋲と、止め鋲の円孔内に位置するロック片とを有し、前記ロック片は、前記雄ホックのフック部の中心軸を回転軸として所定角度に回転可能とされ、かつ少なくとも１つの係止受け部が設けられ、一方前記内ケースのロック片と係合する内周部の所定箇所には前記ロック片の回転角度を規制する係止部が設けられており、前記ロック片の係止受け部と前記内ケースの係止部とが係合したとき、雌ホックと雄ホックとがロックされるようになしたことを特徴とするロック機構付き留め具、及びこの留め具を備えたかばん類製品、衣類製品。【選択図】図１
2013017535.tif 000002
【特許請求の範囲】
【請求項１】
雌ホックと雄ホックとを有し、雌ホックに設けられた係止部材と雄ホックに設けられたフック部とが係合可能、かつ着脱可能にされた留め具であって、雌ホックは前記係止部材を支承するストッパー部と、当該ストッパー部と係合する内ケースと、円孔を有する円環状の止め鋲と、止め鋲の円孔内に位置するロック片とを有し、前記ロック片は、前記雄ホックのフック部の中心軸を回転軸として所定角度に回転可能とされ、かつ少なくとも１つの係止受け部が設けられ、一方前記内ケースのロック片と係合する内周部の所定箇所には前記ロック片の回転角度を規制する係止部が設けられており、前記ロック片の係止受け部と前記内ケースの係止部とが係合したときに雌ホックと雄ホックとがロックされ、又、前記ロック片の係止受け部と前記内ケースの係止部との係合が外れたときにロックが解除されるようになしたことを特徴とするロック機構付き留め具。
【請求項２】
雌ホックと雄ホックとを有し、雌ホックに設けられた係止部材と雄ホックに設けられたフック部とが係合可能、かつ着脱可能にされた留め具であって、雌ホックは前記係止部材を支承するストッパー部と、当該ストッパー部と係合する内ケースと、円孔を有する円環状の止め鋲と、止め鋲の円孔内に位置するロック片とを有し、前記ロック片は、前記雄ホックのフック部の中心軸を回転軸として所定角度に回転可能とされ、かつ少なくとも１つの係止部が設けられ、一方前記内ケースのロック片と係合する内周部の所定箇所には前記ロック片の回転角度を規制する係止受け部が設けられており、前記ロック片の係止部と前記内ケースの係止受け部とが係合したときに、雌ホックと雄ホックとがロックされ、又、前記ロック片の係止部と前記内ケースの係止受け部との係合が外れたときにロックが解除されるようになしたことを特徴とするロック機構付き留め具。
【請求項３】
前記係止部材を雄ホックのフック部に係合した状態で係止するようにされたストッパー部と、該ストッパー部を雄ホックのフックに係止した状態に付勢するばね部材とを具備することを特徴とする請求項１又は２に記載のロック機構付き留め具。
【請求項４】
前記雌ホックのストッパー部は、磁性材料から形成され、ストッパー部の外側面には磁石キーの当接部が形成されており、磁石キーの当接部への当接により、雌ホックと雄ホックとが解錠されるようになしたことを特徴とする請求項１〜３の少なくともいずれか１項に記載のロック機構付き留め具。
【請求項５】
前記ロック片が円環状であり、その円周部は、前記内ケースの内周部と係合するように配されており、前記ロック片は前記内ケースの内周部に対し、回転可能とされていることを特徴とする請求項１〜４の少なくともいずれか１項に記載のロック機構付き留め具。
【請求項６】
前記ロック片の表面には、人の指により当該ロック片の回転を容易にする形状とされていることを特徴とする請求項１〜５の少なくともいずれか１項に記載のロック機構付き留め具。
【請求項７】
前記係止部材は弾性リングから構成されていることを特徴とする請求項１〜６の少なくともいずれか１項に記載のロック機構付き留め具。
【請求項８】
前記ロック片の９０°の回転、又は逆回転により、雌ホックと雄ホックとがロックされ、又はロックが外れるようにしたことを特徴とする請求項１〜７の少なくともいずれか１項に記載のロック機構付き留め具。
【請求項９】
請求項１〜８の少なくともいずれか１項に記載のロック機構付き留め具を備えた、施錠及び解錠の機能を有する製品。
【請求項１０】
請求項１〜８の少なくともいずれか１項に記載のロック機構付き留め具を備えた、かばん類製品。
【請求項１１】
請求項１〜８の少なくともいずれか１項に記載のロック機構付き留め具を備えた、衣類製品。
【請求項１２】
請求項１〜８の少なくともいずれか１項に記載のロック機構付き留め具を備えた、介護用製品。
【発明の詳細な説明】
【技術分野】
【０００１】
本発明は、ロック機能を有し、磁石キーを近接することにより解錠できるロック機構付き留め具に関し、特にロックの解除が容易であり、必要に応じて磁石キーなしでも使用できる、かばん類製品用、衣類製品用、介護用製品用、その他施錠及び解錠の機能を有する各種製品用として有用なロック機構付き留め具に関する。
【背景技術】
【０００２】
例えば、日本特許第４,２２０,４５６号公報（特許文献１）には、磁気開閉式の留め具が開示されている。この特許文献１に記載の磁気開閉式の留め具は、図１１に示されるように、雌ホック１００と雄ホック１１０とを着脱する留め具であって、雌ホック１００は、止め鋲１２０で取り付けられた外ケース１３０と内ケース１４０とを有し、この外ケース１３０と内ケース１４０との間に、雄ホック１１０のフック部１５０に係合する係止部材１６０と、該係止部材１６０を雄ホック１１０のフック部１５０に係合した状態で係止するストッパー部１７０と、該ストッパー部１７０を雄ホック１１０のフック１５０に係止した状態に付勢するばね部材１８０とを具備し、該外ケース１３０の外側から磁石キー２００の磁力を前記ストッパー部１７０に作用させて、ばね部材１８０の弾性力に抗して動作させることにより、該ストッパー部１７０が係止部材１６０に対する係止を開放し、雄ホック１１０が雌ホック１００から取り外しできる留め具である。
【先行技術文献】
【特許文献】
【０００３】
【特許文献１】日本特許第第４,２２０,４５６号公報
【発明の概要】
【発明が解決しようとする課題】
【０００４】
図１１に記載の従来例の磁気開閉式の留め具は、解錠に磁石キーを必要とし、磁石キーがないと解錠できないという不便さを有し、施錠を必要としない状況下においては返って使い勝手が悪いという難点を有する。
本発明の目的は、このような難点を解消し、使用者の使用状況に応じて任意に、雌ホックのロック及びロックの解除の操作が雌ホックの底面側（即ち、雌ホックの雄ホックと対面する側）から容易にできるようにし、ロックを解除した場合には磁石キーなしでも使用できる、かばん類製品用、衣類製品用、介護用製品用、その他の施錠、解錠機能を有する各種製品用として有用なロック機構付き留め具、特に、留め具の雌ホックの後述する外ケースが、かばん類製品、衣類製品、介護用製品の布地、皮革、プラスチック等の基材内に封入され、外ケースの表皮が露出されないようにされる取付け形態の留め具であっても、雌ホックのロック及びロックの解除の操作が雌ホックの底面側から容易にできるようにした上記した各製品用のロック機構付き留め具、及び当該留め具を備えたかばん類製品、衣類製品、介護用製品、その他の施錠及び解錠機能を有する各種製品を提供することである。
【課題を解決するための手段】
【０００５】
本発明者は、前記の課題を解決するために、鋭意検討した結果、本発明に至ったものである。即ち、本発明は、下記のロック機構付き留め具、及び当該ロック機構付き留め具を使用したかばん類製品、衣類製品、介護用製品、その他の施錠及び解錠の機能を有する各種製品を提供するものである。
（１）雌ホックと雄ホックとを有し、雌ホックに設けられた係止部材と雄ホックに設けられたフック部とが係合可能、かつ着脱可能にされた留め具であって、雌ホックは前記係止部材を支承するストッパー部と、当該ストッパー部と係合する内ケースと、円孔を有する円環状の止め鋲と、止め鋲の円孔内に位置するロック片とを有し、前記ロック片は、前記雄フック部の中心軸を回転軸として所定角度に回転可能とされ、かつ少なくとも１つの係止受け部が設けられ、一方前記内ケースのロック片と係合する内周部の所定箇所には前記ロック片の回転角度を規制する係止部が設けられており、前記ロック片の係止受け部と前記内ケースの係止部とが係合したときに雌ホックと雄ホックとがロックされ、又、前記ロック片の係止受け部と前記内ケースの係止部との係合が外れたときにロックが解除されるようになしたことを特徴とするロック機構付き留め具。
【０００６】
（２）雌ホックと雄ホックとを有し、雌ホックに設けられた係止部材と雄ホックに設けられたフック部とが係合可能、かつ着脱可能にされた留め具であって、雌ホックは前記係止部材を支承するストッパー部と、当該ストッパー部と係合する内ケースと、円孔を有する円環状の止め鋲と、止め鋲の円孔内に位置するロック片とを有し、前記ロック片は、前記雄フック部の中心軸を回転軸として所定角度に回転可能とされ、かつ少なくとも１つの係止部が設けられ、一方前記内ケースのロック片と係合する内周部の所定箇所には前記ロック片の回転角度を規制する係止受け部が設けられており、前記ロック片の係止部と前記内ケースの係止受け部とが係合したときに、雌ホックと雄ホックとがロックされ、又、前記ロック片の係止部と前記内ケースの係止受け部との係合が外れたときにロックが解除されるようになしたことを特徴とするロック機構付き留め具。
（３）前記係止部材を雄ホックのフック部に係合した状態で係止するようにされたストッパー部と、該ストッパー部を雄ホックのフックに係止した状態に付勢するばね部材とを具備することを特徴とする前記（１）及び（２）の少なくともいずれかに記載のロック機構付き留め具。
（４）前記雌ホックのストッパー部は、磁性材料から形成され、ストッパー部の外側面には磁石キーの当接部が形成されており、磁石キーの当接部への当接により、雌ホックと雄ホックとが解錠できるようにされたことを特徴とする前記（１）〜（３）の少なくともいずれかに記載のロック機構付き留め具。
【０００７】
（５）前記ロック片が円環状であり、その円周部は、前記内ケースの内周部と係合するように配されており、前記ロック片は前記内ケースの内周部に対し、回転可能とされていることを特徴とする前記（１）〜（４）の少なくともいずれかに記載のロック機構付き留め具。
（６）前記係止部材は弾性リングから構成されていることを特徴とする前記（１）〜（５）の少なくともいずれかに記載のロック機構付き留め具。
（７）前記ロック片の９０°の回転、又は逆回転により、雌ホックと雄ホックとがロックされ、又はロックが外れるようになしたことを特徴とする前記（１）〜（６）の少なくともいずれかに記載のロック機構付き留め具。
（８）前記（１）〜（７）の少なくともいずれかに記載のロック機構付き留め具を備えた施錠及び解錠の機能を有する製品。
（９）前記（１）〜（７）の少なくともいずれかに記載のロック機構付き留め具を備えたかばん類製品。
（１０）前記（１）〜（７）の少なくともいずれかに記載のロック機構付き留め具を備えた衣類製品。
（１１）前記（１）〜（７）の少なくともいずれかに記載のロック機構付き留め具を備えた介護用製品。
【発明の効果】
【０００８】
本発明のロック機構付き留め具は、ロック機能を働かしたときには、磁石キー以外の手段では容易に解錠できないようになっているので、雌ホックと雄ホックとを外すことを防止することができる。又、係止状態にある雌ホックと雄ホックの解錠を雌ホックの外側（即ち、雄ホックの反対側）から磁石キーを当接させるだけで簡単にできるので、操作負担と手間が軽減できる。又、使用者の使用状況に応じて任意にロック機能の解除が容易にでき、雌ホックと雄ホックとがロックされない状態にした場合には、手間がかからず、雌ホックと雄ホックとを簡単に外すことができる。特に、本発明においては、雌ホックのロック及びロックの解除の操作を雌ホックの底面側から、即ち内ケース側（雄ホック側）からできるので、操作性に優れている。このように、本発明の留め具を使用したかばん類製品、衣類製品、介護用製品、その他の施錠及び解錠の機能を有する各種製品においては、かかる製品のロックが必要とされるときに、雌ホックと雄ホックとのロックを行なえば、磁石キー以外の手段により容易に解錠できない状態とすることができ、ロックしない状態にすれば磁石キーなしで、容易に雌ホックと雄ホックとを外すことができる。
【図面の簡単な説明】
【０００９】
【図１】本発明に係わる好ましいロック機構付き留め具の概略断面説明図。
【図２】図１のロック機構付き留め具の雌ホック部分の概略断面説明図。
【図３】図３の（ａ）は図１のロック機構付き留め具の雌ホックの底面側の概略平面説明図、図３の（ｂ）は図１のロック機構付き留め具の外ケースの概略平面説明図。
【図４】図１のロック機構付留め具の雌ホックの概略分解説明図。
【図５】図１のロック機構付留め具のロック機構の雄ホックの概略分解説明図。
【図６】本発明に係るロック機構付留め具のロック機構の一例の概略を示す説明図。
【図７】本発明のロック機構付き留め具の解錠に使用される磁石キーの説明図。
【図８】図１のロック機構付留め具の使用方法を、断面をもって示す説明図。
【図９】本発明に係わるロック機構付き留め具の解錠に用いられる一例の携帯用磁石キーの平面図。
【図１０】本発明に係わるロック機構付き留め具を使用した例のかばん類製品、及び介護用寝間着としての衣類製品の概略正面図。
【図１１】従来の磁気開閉式の留め具の断面説明図。
【発明を実施するための形態】
【００１０】
次に本発明を図面に基づいて具体的に説明する。図面は本発明の好ましい実施形態を例示したものであり、本発明は例示の図面とその説明に限定されない。また、図面の同一機能を有する部品には、理解を容易にするため同一符号を付して説明する。
図１は本発明に係る留め具の好ましい実施形態の一つで、雌ホック１と雄ホック２とが嵌着する状態の断面図を示している。雌ホック１は、係止部材３を有し、雄ホックはフック部４を有しており、雌ホック１と雄ホック２とは離脱しないように、フック部４が係止部材３により係止されるようになっている。
この形態の留め具の雌ホック１においては、外ケース８の表側（即ち雄ホックに対して反対する側）が基材６と基材６との間に封入され、外ケース８の表側が露出されない状態となっており、外ケース８の表側から、雌ホック１と雄ホック２とのロック操作及びロックの解除操作ができない。本発明は、以下に説明するように、雌ホック１の底面側（即ち、雌ホックの雄ホックと対面する側）から、雌ホックのロック及びロックの解除の操作が容易にできるようにしたことを特徴としている。
前記雌ホック１は、図２に示すように、止め鋲５によりかばん類製品、衣類製品、介護用製品等の基材６に取り付けられた内ケース７と外ケース８とを備え、内ケース７と外ケース８との間に、係止部材３、ストッパー部９及びばね部材１０を組み込んで構成されており、雄ホック２に係合した係止部材３をストッパー部９で係止し、さらにこの係止が開放されないようにストッパー部９をばね部材１０で付勢している。
一方、雄ホック２は、その台座２７、２９の間に基材６を挟持して基材６に取り付けられており、フック部４は、そのフック部４の中央に形成された円筒部に止めピン部１１を挿入することによって一体化されるようになっている。
図３の（ａ）は、雌ホック１の底面側の概略平面図を示しており、５は止め鋲、１７は止め鋲５の中央領域に設けられた円形の開口部に嵌め込まれたロック片１７、いわゆるサムターン座を示す。又、図３の（ｂ）は雌ホック１を構成する外ケースの概略平面説明図を示す。
【００１１】
次に、前記雌ホック１をその概略の構成を示す分解図である図４に従って詳細に説明する。図４において、（ａ）は、外ケース８、（ｂ）は、係止部材３の具体例の弾性リング２２、（ｃ）は、ばね部材１０、（ｄ）は、ストッパー部９、（ｅ）は、内ケース７、（ｆ）は、ロック片１７、（ｇ）は、止め鋲５を示す図面であって、それぞれの左側の図面は、それぞれの概略斜視図を示し、右側の図面は、それぞれの断面の概略の骨格を示す図面である。
図４に示すように、外ケース８は天部１２の周りに周側部１３を有するキャップ状体で、天部１２の中央に磁石キーを当接する当接部１４が設けられている。天部１２は磁石きーが当接しやすくするためにほぼ平坦であるのが好ましく、また当接部１４の形状は、円形、その他所望の形状が選ばれる。
【００１２】
本発明において外ケース８は非磁性材料で形成されるのが好ましい。このように外ケース８を非磁性材料にする理由は、係止部材３を係止しているストッパー部９に磁力を作用させて係止を開放するために磁石を外ケース８に近づけたとき、磁力が作用しないようにするためである。この非磁性材料としては、例えば１８−８ステンレス鋼、真鍮、亜鉛、アルミニウムなどの金属が強度や製造加工のしやすさの面から好ましく使用でき、中でも真鍮が好ましい。外ケース８は、これらの材料からプレス加工によって製造できる。
【００１３】
内ケース７は、前記した外ケース８と合わさって雌ホック１の内側部（即ち、雄ホック側）を構成する部品で、外ケース８と同様に非磁性材料で形成されるのが好ましい。この内ケース７は、内部に係止部材等を組み込むための空間部を有する略円筒状部１５を有しており、該略円筒状部１５の底部には透き孔１６が設けられており、該透き孔１６から雄ホック２のフック部４が略円筒状部１５の内部に出し入れできるようになっている。したがって、透き孔１６の径は、雄ホック２のフック部４の最大径より僅かに大きいのが好ましい。
【００１４】
止め鋲５は、前記の外ケース８及び内ケース７を基材６に取り付けるための部品で、例えば、円孔２５を有する円環状の形状を有している。この止め鋲５は、例えば真鍮板を所定の形状に切り抜き、これをプレス成形加工することにより得ることができる。止め鋲５の中央は、雄ホック２のフック部４が挿通できる所定の大きさに円孔２５をもって開口しており、かつ該開口の周縁に円筒状の止め片１８がほぼ直立して形成されており、該止め片１８の開口部に前記内ケース７の略円筒状部１５が嵌合できるようになっている。
ロック片１７（いわゆるサムターン座）は、図６の（ｆ）に示されるように、円環状の部材であり、止め鋲５の円孔内に位置し、かつ内ケース７の透き孔１６の円周縁部２６に嵌合し、前記した雄ホック２のフック部４の中心軸を軸として少なくとも所定角度に回転可能となるように支承されている。そして、ロック片１７の内ケース側には、１つあるいは所定間隔をおいて複数個の係止受け部３４が設けられている。例えば、円環状のロック片１７の周縁部に１つ、あるいは９０度ごと、あるいは１８０度ごとに、係止受け部３４が設けられている。この係止受け部３４は、前記内ケースの内周部に、係止受け部３４と対応して所定箇所に設けられた係止部３５と係合し、前記ロック片の回転角度を規制し、雌ホックと雄ホックとのロック及びロックの解除がなされるようになっている。あるいは又、ロック片の周辺部の内ケース側の所定箇所に１つあるいは複数個の係止部を設け、一方内ケースの内周部の所定箇所に１つあるいは複数個の係止受け部を設け、前記係止部と係止受け部とが係合し、前記ロック片の回転角度を規制し、雌ホックと雄ホックとのロック及びロックの解除がなされるようにしてもよい。
【００１５】
この止め鋲５で内ケース７及び外ケース８を基材６に取り付けるには、基材の雌ホック１を取り付ける箇所に予め止め鋲５の止め片１８の大きさに合わせて孔を明け、該孔に基材の裏側から止め鋲５の止め片１８を通して該止め鋲５の止め片１８内に内ケース７の略円筒状部１５を嵌合し、さらに外ケース８を重ね合わせ、止め片１８の先端部と内ケース７及び外ケース８の縁部とを重ね合わせた状態で一緒に折り曲げることにより得られる。この場合、止め鋲５の止め片１８の先端部を図示のように波形に加工しておくと、前記折り曲げが容易となる。また、基材への取り付けを強固にするために、止め鋲５の止め片１８の周りに複数個のギザギザ部１９を設け、その頭部を尖鋭な凹凸に加工しておくと、基材に食い込みやすくできる。しかし、雌ホック１の基材への取り付け方法は、汎用のホックや留め具で実施されている方法でもよく、限定されない。
【００１６】
次に、前記の内ケース７及び外ケース８の内部に組み込まれる、係止部材３、ストッパー部９及びばね部材１０について説明する。本例の係止部材３としては、弾性リング（即ちリング状ばね）が使用されている。雄ホック２のフック部４が係止部材３に挿入されたとき、該係止部材３は該フック部４の係合溝２０に嵌入して、雌ホックと雄ホックとを止める機能を持っている。
雄ホック２のフック部４の係合溝２０に前記弾性リング２２が係合した状態で、外方向に広がらないように、下記するストッパー部９で弾性リング２２を係止し、更にばね部材１０をストッパー部９に付勢させて、この係止が開放されないようにし、雄ホック２のフック部４が弾性リング２２から離脱するのを防止している。
前記弾性リング２２は、雄ホック２のフック部４に形成されている係合溝２０の最小径とほぼ同じ径か、又は若干短い径と、適度の弾性を持っているので、フック部４がストッパー部９の内部方向に進行すると、フック部４は弾性リング２２を押し広げながら進行し、係合溝２０の外周と弾性リング２２の内周側とが係合し、更にフック部４がストッパー部９の内部の奥まで進行すると、ストッパー部９の受け部２３に弾性リング２２の外周側が納まって両者が係合し、雌ホック１と雄ホック２とが結着し、施錠状態となる。
【００１７】
外ケース８の当接部１４の下端の内側をストッパー部９を固定できるような構造としておくと、フック部４がストッパー部に向けて挿入した際、弾性リング２２がフック部４によって一定以上に押し上げられるのを該ストッパー部９で防ぐこともできる。ストッパー部９がこのような構造になっていない場合には、フック部４を弾性リング１０に押し込んだとき、弾性リング２２がフック部４によって押し上げられてしまうため、弾性リング２２をフック部４で押し広げて係合溝２０に係合させることが困難となる。
【００１８】
ストッパー部９は、雄ホック２のフック部４に係合した前記係止部材３がフック部から離脱しないように係止し、また係止部材３を前記フック部４から離脱させ雌ホック１と雄ホック２とを外すときには、該係止を磁石の磁力によって開放させる役割を持っている。
本例のストッパー部９は、係止部材３（弾性リング２２）を内部に収容できるように係止部材３（弾性リング２２）のリング形状に類似する径を有する円錐台状に形成されており、その円錐台状の天板部２４には、孔部２５が形成されている。また、円錐台状の裾部側であって、その内側の内周方向に沿って受け部２３が設けられている。このように、ストッパー部９に弾性リング２２の受け部２３を設けると、ストッパー部９で弾性リング２２を確実に係止できる。
【００１９】
本発明において、該ストッパー部９は磁性材料で形成される。ストッパー部９を磁性材料で形成することにより、係止部材３を係止しているストッパー部９を磁石の磁力により上方に動かして係止を開放させ、雌ホック１を雄ホック２から外すことができる。ストッパー部９に適合する磁性材料としては、鉄、１８−８ステンレス鋼以外のステンレス鋼（以下、磁性ステンレス鋼とする）などを挙げることができる。なかでも磁性ステンレス鋼は防錆に優れ、経済的にも好ましい。なお、ストッパー部９は通常全体を磁性材料で形成するのが好ましいが、ストッパー部９本体を非磁性材料で形成し、その磁力を受けやすい部分に磁性材料を例えば接着して設けてもよい。
【００２０】
ばね部材１０は、雌ホック１と雄ホック２とが止められている状態では、付勢する弾性力でストッパー部９の動作を拘束し、ストッパー部９に前記弾性力より大きい磁力が作用しない限り、ストッパー部９が係止部材３に対する係止を保持する役割を有している。そして、ストッパー部９に外ケース８の外側から前記弾性力より大きい磁力が作用したときには、該弾性力に抗してストッパー部９を外ケース側に動作させ、係止部材３に対する係止を開放させる。このため、ばね部材１０の弾性力はストッパー部９に作用する磁力より小さいことが重要であり、前記係止の開放が円滑かつ確実に得られる強さの弾性力を有するものが、使用する磁石の強さによって選択される。本例ではコイルばねを使用しているが、ばね部材１０はストッパー部９に所定の弾性力を付勢できるものであればよくこれに限定されない。例えば板ばね、竹の子ばね、うず巻ばね、線巻きばね、線ばねやゴム弾性体などを用いることもでき、本発明のばね部材はこれらを包含している。さらに、その設置の位置や方法も適宜決めることができる。
【００２１】
次に、本例の雌ホック１を各種部品を用いて組立てる場合について説明する。雌ホック１を取り付ける位置の基材にあけた孔に、裏側から止め鋲５の止め片１８を挿通し、ついで該止め鋲５の止め片１８の内側の開口部に内ケース７の略円筒状部１５を挿入して重ねるとともに、ロック片１７を内ケース７の開口部１６の位置に嵌め込んだ後、該内ケース７の内側に係止部材３を載置する。そして、ストッパー部９の外周の外側にばね部材７を載せて上方から外ケース８を、重ね合わせる。かくして、内ケース７と外ケース８との間に、係止部材３、ストッパー部９、ばね部材７を組み込んだ後、基材６をこれらケースと止め鋲５で挟持しながら、止め鋲５の止め片１８、内ケース７及び外ケース８の先端部を重ね合わせた状態で止め片１８を折り曲げることにより雌ホック１を得ることができる。
【００２２】
次に、雄ホック２について図５を参照して説明する。本例の雄ホック２の基本構成は、汎用されている通常のホックと同様であり、図５に示すように止めピン部１１とフック部４とから構成される。材質としては、例えば真鍮やステンレス鋼などの金属が好ましく用いられる。止めピン部１１は、台座２７の中央に円筒部２８を植立し、またフック部４は台座２９に係止突起３０を植立しており、該係止突起３０には止めピン部１１の円筒部２８を挿通するための円筒孔３１が台座２９を貫通して設けられ、さらに係止突起３０の外側には雌ホック１の前記係止部材３を係合するための係合溝２０が全周に形成されている。
一方、この円筒孔３１の内部には、図１に示すように段部が設けられているのが好ましく、基材６に設けた取付け孔に止めピン部１１の円筒部２８を挿通し、該円筒部２８にフック部４の円筒孔３１を基材の表側から嵌挿してその先端部を外方向に拡張することにより、止めピン部１１とフック部４とを固着できる。これにより、雄ホック２を基材６に取り付けることができる。
【００２３】
本発明においては、雌ホックのロック及びロックの解除の操作が、雌ホックの底面側から、即ち雄ホック側の内ケース側からできるような構成が採られている。
図６は、その構成の一部の概略の例を示した図面（一部省略図）であり、円環状のロック片１７の外側の円周溝部は、内ケース７の内周縁部２６と係合しており、ロック片１７を人の指等の動き（矢印方向）により回転できるようにされている。このロック片１７には、その円周方向の所定の位置に少なくとも１つの係止受け部３４が設けられている。この係止受け部３４は、前記内ケース７の内周部の所定の位置に設けられた係止部３５と係合し、ロックがされるようになっており、又係止受け部３４と係止部３５とが係合しない場合にはロックの解除がなされるようになっている。
前記したロック片１７の係止受け部３４は、その円周部に、１か所、１８０度毎に２か所、あるいは９０度毎に４か所設けることができる。一方、内ケース７の前記ロック片１７の周縁部に対応する周縁部には、前記係止受け部３４が嵌合し、ロック片１７の回転が規制され、ロック状態となるように、係止凸部３５が、１か所、１８０度毎に２か所、あるいは９０度毎に４か所において設けられている。又、ロック片の円周部の外側の表面には、図１に示すように、ロック及びロックの解除の操作が容易となるように、ロック片の回転方向を表示する文字、図形等の表示を設けるのが好ましい。
【００２４】
図６において、（ａ）は、ロック片１７を回転させ、ロック片１７の係止受け部３４と内ケースの係止部３５とが係合していない位置における状態を示しており、雌ホックはロックの解除状態の概略説明図である。一方、（ｂ）は、ロック片１７を回転させ、ロック片１７の係止受け部３４と内ケースの係止部３５とが係合した位置における状態を示しており、雌ホックのロック状態を示した概略説明図である。
同図において、ロック片１７の係止受け部３４は、凸条部となっており、内ケースの係止部３５は、凹状部となっているが、この逆に、ロック片１７の係止受け部３４を凹条部となし、内ケースの係止部３５を、凸状部となしてもよい。
【００２５】
本発明においては、ロック片１７の係止受け部３４と内ケースの係止部３５との係合及び解除をロック片の回転でなく、ストッパー部９と内ケース７とを係合させ、ストッパー９を回転させ、ストッパー部９の回転を内ケース７に伝達させ、ロック片１７の係止受け部３４と内ケース７と係止部３５との係合及び解除を行なうようにすることもできる。この場合、前記したストッパー部９の回転を、磁石キー３３を利用して行なうことができる。
【００２６】
図８は、前記の雌ホック１と雄ホック２とを止める前の状態から、磁石により外すまでの状態を示したものである。なお、図には主な参照符号を省略している。
（ａ）は雌ホック１と雄ホック２を止める直前の状態である。雌ホック１をロックしたい場合、あるいはロックを解除したい場合には、施錠する前に、同図における雌ホックの底面側からロック片を回転させて、ロック状態に、あるいはロックの解除状態にすればよい。
（ｂ）は雌ホック１の係止部材３に雄ホック２のフック部４を押し込む状態で、フック部４を係止部材３に押し込むと、フック部４は係止部材３を弾性的に押し広げながら進み、押し込みの終時に係止部材３はフック部４の係合溝２０に係合される。
【００２７】
（ｃ）は係止部材３がストッパー部９によって係止された状態である。この状態で係止部材３を係止したストッパー部９には、ばね部材１０が下方から付勢しているので、ストッパー部９による係止部材３の係止は開放されることなく保持される。従って、この状態では雌ホック１と雄ホック２とを外そうとしても、係止部材３はストッパー部９によって外方向への広がりが阻止されるため、その係合を雄ホック２のフック部の係合溝２０から離脱させることが不可能となる。その結果、雌ホック１と雄ホック２とを外すことができない。
【００２８】
（ｄ）は、この雌ホック１と雄ホック２の取り外し工程を示している。（ｄ）に示すように雌ホック１の外側、即ち雌ホック１の外ケース８の天部１２に設けられた当接部１４に磁石キー３３を近づけることにより可能となる。すなわち、雌ホック１の外側に磁石キー３３を近づけると、磁性材料からなるストッパー部９が磁石キー３３の磁力によって磁石キー３３側に引き寄せられ、ばね部材７の弾性力に抗して動くため、それまで係止部材３を係止していたストッパー部９は、係止部材３から外れて係止を開放する。この係止の開放により、係止部材３は外方向に広がることができる状態になるので、雌ホック１と雄ホック２とを引き離すと、雄ホック２のフック部４が係止部材３を押し広げながら離脱するため、両者を外すことができる。
係止部材３が弾性リング２２の場合、係止された雌ホック１と雄ホック２とを外すときには、雌ホック１の外側から磁石キー３３の磁力をストッパー部９に作用させてストッパー部９をばね部材１０の弾性力に抗して動かし、弾性リング２２に対する係止を開放させて、前記フック部４による弾性リング２２の押し広げを可能にして外す。
【００２９】
本発明において、雌ホック１と雄ホック２の取り外しに使用する磁石キー３３は、所定の強度の磁力が得られるものであれば、永久磁石、電磁石のいずれでもよい。しかし、永久磁石の方が磁石自体の構造が簡単でかつ電源を必要としないために軽量化と小型化に適し、携帯の利便性が得られる点で優れている。本発明における磁石キー３３は、磁力のよる解錠ができる所定の強さの磁力さえ持っていれば使用でき、留め具の形体、大きさ、用途、使用形態によって適宜選択される。
又、図７に示すように、磁石キー３３の先端部に所定の文字、図柄のデザイン部を設けるようにすれば、その文字、図柄のデザインパターンにより、意匠性を高めることができ、ファッション性も高めることができる。図７の（ａ）は、磁石キーの先端部のデザインを例示したものであり、同図においては、英文字Ｔに相当する凸状部３７のデザインパターンが設けられた例であり、図７の（ｂ）は、英文字Ｔに相当する凹状部３８のデザインパターンが設けられた例である。
【００３０】
図９は、永久磁石を使用した携帯用の磁石キー３９を例示したもので、本例の磁石キー３９は、携帯に適した形態にするために、例えばプラスチックス製のホルダー４０に磁石４１を取付け、さらにホルダー４０の把持部４２の端部に紐穴４３を設けて、該紐穴に紐４４を付けて携帯しやすくしている。しかし、本発明において、磁石キー３９はこれに限定されず、留め具の形体、大きさ、用途、使用形態によって適宜選択される。
【００３１】
図１０の（ａ）は、本発明のロック機構付き留め具５０をかばん５１の簡易ロック付き留め具として適用したものを示した一例であり、必要時に応じて、雌ホックのロック機能を働かした状態にしておけば、磁石キーで解錠しないとかばん５１の蓋を開けることができない。一方、雌ホックのロック機能を解除した状態にしておけば、磁石キーなしで、かばん５１の蓋を開けることができる。
図１０の（ｂ）は、本発明のロック機構付き留め具６０を衣類製品の一例としての介護用寝間着６１の開閉スライダー６２の終端部の留め具として使用した例であり、必要時に応じて、雌ホックのロック機能を働かした状態にしておけば、磁石キーで解錠しないと介護用寝間着６１の開閉スライダー６２を開けることができない。一方、雌ホックのロック機能を解除した状態にしておけば、磁石キーなしで、介護用寝間着６１の開閉スライダー６２を開けることができる。
本発明のロック機構付き留め具は、かばん、ハンドバック、ショルダーバック、リュックサック、ポーチ、その他各種バック、収納袋等のかばん類製品や、介護者用寝間着やその他各種衣類製品、介護者用手袋、介護用器具、介護用携帯品等の介護用製品、その他の施錠、解錠の機能を必要とされる各種製品等のロック機構付き留め具として好適に使用することができる。
【産業上の利用可能性】
【００３２】
本発明のロック機構付き留め具は、小型かつ軽量で、又ロックして施錠した時には、磁石キー以外の手段では解錠できないようになっているので、雌ホックと雄ホックとが外れるのを防止することができる。又、雌ホックと雄ホックとがロックされない状態にしたい場合には、手間がかからず、雌ホックと雄ホックとを簡単に外すことができる。
特に、本発明のロック機構付き留め具は、留め具のロックとロックの解除との操作を雌ホックの底面側から、即ち内ケース側から、ロック片の回転により行なうことができるので、使い勝手がよく便利である。ロックとロックの解除との操作を必要時に行なうことができる本発明の留め具を使用したかばん類製品、衣類製品においては、これらの製品のロックが必要とされるときに、雌ホックと雄ホックとのロックを行なえば、磁石キー以外の手段により容易に解錠できないない状態とすることができる。
【符号の説明】
【００３３】
１、１００：雌ホック        ２、１１０：雄ホック      ３、１６０：係止部材
４、１５０：フック部        ５、１２０：止め鋲        ６、１９０：基材
７、１４０：内ケース        ８、１３０：外ケース      ９、１７０：ストッパー部
１０、１８０：ばね部材      １１：止めピン部          １２：天部
１３：周側部                １４：当接部              １５：略円筒状部
１６：透き孔                １７：ロック片            １８：止め片
１９：ぎざぎざ部            ２０：係合溝              ２１：円筒突起
２２：弾性リング            ２３：受け部              ２４：天板部
２５：円孔                  ２６：円周縁部            ２７、２９：台座
２８：円筒部                ３０：係止突起            ３１：円筒孔
３３、２００：磁石キー      ３４：係止受け部          ３５：係止部
３６：磁石キー当接部        ３７：凸状部              ３８：凹状部
３９：磁石キー              ４０：ホルダー            ４１：磁石
４２：把持部                ４３：紐穴                ４４：紐
５０、６０：ロック機構付き留め具    ５１：かばん      ６１：介護用寝間着
６２：開閉スライダー
【図１】
2013017535.tif 000003
【図２】
2013017535.tif 000004
【図３】
2013017535.tif 000005
【図４】
2013017535.tif 000006
【図５】
2013017535.tif 000007
【図６】
2013017535.tif 000008
【図７】
2013017535.tif 000009
【図８】
2013017535.tif 000010
【図９】
2013017535.tif 000011
【図１０】
2013017535.tif 000012
【図１１】
2013017535.tif 000013